(57)【要約】【課題】  掃除の手間を軽減すると共に、便器としての性能・使い勝手を低下させること無く、外観的にすっきりしたデザイン性の高い採尿機能が組み込まれた大便器ユニットを実現する。  【解決手段】  大便器２と、大便器２の背面に設けられた収納キャビネット３と、大便器２の上面に設けた採尿装置６と、収納キャビネット３に内蔵されて尿成分測定部及び制御部を備えた尿測定装置と、採尿装置６と尿測定装置の間に配設させた尿搬送管及び通信線と、大便器２の側面に配置されて使用者のスイッチ操作に基づき制御部に動作信号を送信する遠隔操作装置とで大便器ユニット１を構成した。【選択図】  図１
2005188105.tif 000002
【特許請求の範囲】
【請求項１】
大便器と、前記大便器の背面に設けられた収納キャビネットと、前記大便器の上面に設けた採尿装置と、前記収納キャビネットに内蔵されて尿成分測定部及び制御部を備えた尿測定装置と、前記採尿装置と尿測定装置の間に配設させた尿搬送管及び通信線と、前記大便器の側面に配置されて使用者のスイッチ操作に基づき前記制御部に動作信号を送信する遠隔操作装置とで構成したことを特徴とする大便器ユニット。
【請求項２】
前記採尿装置は、前記大便器上面の平面形状と略同一の平面形状を有すると共に前記大便器のボールに対応した位置に開口穴部を設けたケーシングと、前記ケーシングに支持されて前記大便器のボール内を移動可能な採尿器を備えてなり、前記尿搬送管及び通信線を前記ケーシングの内部に配設させてその一端を前記採尿器に接続したことを特徴とする請求項１記載の大便器ユニット。
【請求項３】
前記ケーシングの上面に、便座と、前記便座を開閉自在に支持する便座装置本体とからなる便座装置を設けたことを特徴とする請求項１または２記載の大便器ユニット。
【請求項４】
前記ケーシングは、前記便座装置本体が設置される固定部と、該固定部に対して着脱自在に設けられ前記開口穴部を有するカバー部とで構成したことを特徴とする請求項３記載の大便器ユニット。
【請求項５】
前記ケーシングは、前記便座装置本体が設置される固定部と、該固定部に対して回動可能に支持されて前記開口穴部を有する回動部とで構成したことを特徴とする請求項３記載の大便器ユニット。
【請求項６】
前記収納キャビネットは、前記大便器の背面に位置する背面キャビネットと、大便器の側面に位置して前記背面キャビネットに連結させた側面キャビネットとからなり、前記遠隔操作装置を前記側面キャビネットに設け、前記遠隔操作装置と制御部とで信号の授受を行なう制御信号線を前記収納キャビネット内に配設したことを特徴とする請求項１〜５のいずれかに記載の大便器ユニット。
【発明の詳細な説明】
【技術分野】
【０００１】
本発明は、大便器に取り付けられる採尿装置において採尿手段と配管手段を一体化すると共に、大便器と略同シルエット形状で外郭を形成することにより、大便器としての性能・使い勝手を低下させること無く、デザイン性に優れた採尿手段を実現することに好適な採尿装置に関する発明である。
【背景技術】
【０００２】
従来の排泄物測定機能を備えた便器には、次のようなものが提案されている。
まずは、使用者の排泄物が落下する便器ボールに組み込まれたものがある（例えば、特許文献１参照。）。
このような場合、便器ボール内部に凹凸が発生するため、便器の汚物排出性能の低下が発生するという問題があった。
【０００３】
その問題を解決するために、便器リム面の上方に配置される便座あるいは便器リム面の一部を覆うリムカバーに尿採取手段を配し、尿を床置きの尿成分測定装置に搬送して尿成分を分析するものが提案された（例えば、特許文献２、３参照。）。
しかし、この場合も採取した尿の吸排出配管が大便器としてのシルエットの外側に存在するため、外観的にごてごてして見栄えが悪いという問題があった。合わせて、尿成分測定部はトイレの床の上に置かれるため、トイレブースが狭くなるだけでなく、トイレの床掃除がしにくいという問題がある。また、尿採取手段が便座に設けられた場合には、採取した尿の吸排出配管が便座開閉に合わせて移動するため、特に男性小用時に便座を開放した時など、被尿に汚れた部分が見えてしまうという問題もあった。
【０００４】
いずれの装置においても、尿成分測定装置は大便器からはみ出してしまうので、トイレブースやトイレブース内が狭くなるという問題があった。また、特に、尿成分測定装置を床置きする場合に顕著であるが、床清掃のたびに尿成分測定装置の位置をずらしてから床掃除をする必要があり、掃除をする場合に手間がよけいにかかっていた。
【特許文献１】実開平０１−１７９２６８号公報
【特許文献２】特開平０７−１９８６６０号公報
【特許文献３】特開平１０−０６８７２８号公報
【発明の開示】
【発明が解決しようとする課題】
【０００５】
本発明は、上記問題を解決するためになされたもので、本発明の課題は、掃除の手間を軽減すると共に、便器としての性能・使い勝手を低下させること無く、外観的にすっきりしたデザイン性の高い採尿機能が組み込まれた大便器ユニットを実現するものである。
【課題を解決するための手段】
【０００６】
上記目的を達成するために請求項１記載の発明によれば、大便器と、前記大便器の背面に設けられた収納キャビネットと、前記大便器の上面に設けた採尿装置と、前記収納キャビネットに内蔵されて尿成分測定部及び制御部を備えた尿測定装置と、前記採尿装置と尿測定装置の間に配設させた尿搬送管及び通信線と、前記大便器の側面に配置されて使用者のスイッチ操作に基づき前記制御部に動作信号を送信する遠隔操作装置とで大便器ユニットを構成したことを特徴とする。
これにより、トイレ床を占有するものが無いため床清掃が容易であり、また外観シルエットの外側に突起物が無いためにすっきりしてデザイン性が高い。
【０００７】
また、請求項２記載の発明によれば、前記採尿装置は、前記大便器上面の平面形状と略同一の平面形状を有すると共に前記大便器のボウルに対応した位置に開口穴部を設けたケーシングと、前記ケーシングに支持されて前記大便器のボウル内を移動可能な採尿器を備えてなり、前記尿搬送管及び通信線を前記ケーシングの内部に配設させてその一端を前記採尿器に接続したことを特徴とすることにより、尿成分を測定するための配管や配線を配するための部材が外観シルエットの外側に出たり、移動したりすることが無くすっきりしてデザイン性が高い。合わせて便器の排泄物を下水に排出するためのボール形状に対して変更が発生しないため、便器としての排泄物排出性能や、便器としての清掃性が低下することがない。
【０００８】
また、請求項３記載の発明によれば、前記ケーシングの上面に、便座と、前記便座を開閉自在に支持する便座装置本体とからなる便座装置を設けたことを特徴とすることにより、使用者が排便のために使用する便座の使い勝手としては、便座装置を便器に対して固定する場合に対して変更はない。
【０００９】
また、請求項４記載の発明によれば、前記ケーシングは、前記便座装置本体が設置される固定部と、該固定部に対して着脱自在に設けられ前記開口穴部を有するカバー部とで構成したことを特徴とすることにより、長期間の仕様によって汚れや破損が発生する恐れのある部分を交換できるため、定期的な交換を実施することで、長期間きれいな外観のまま使用することができる。
【００１０】
また、請求項５記載の発明によれば、前記ケーシングは、前記便座装置本体が設置される固定部と、該固定部に対して回動可能に支持されて前記開口穴部を有する回動部とで構成したことを特徴とすることにより、便器上面に侵入する恐れが汚物飛沫などを清掃して、清浄に保つことができる。
【００１１】
また、請求項６記載の発明によれば、前記収納キャビネットは、前記大便器の背面に位置する背面キャビネットと、大便器の側面に位置して前記背面キャビネットに連結させた側面キャビネットとからなり、前記遠隔操作装置を前記側面キャビネットに設け、前記遠隔操作装置と制御部とで信号の授受を行なう制御信号線を前記収納キャビネット内に配設したことを特徴とすることにより、遠隔操作装置に十分な電力を供給できることから、操作性および使い勝手の良い画像表示を含めた操作部の実現を可能とした。
【発明の効果】
【００１２】
本発明によれば、便器としての性能・使い勝手を低下させること無く、外観的にすっきりしたデザイン性の高い採尿機能が組み込まれた大便器ユニットを実現するという効果がある。
【発明を実施するための最良の形態】
【００１３】
本発明の実施の形態に関し、以下に図を用いて詳説する。
【００１４】
図１は、本発明の大便器ユニットの第一の実施例を示す斜視図である。
大便器ユニット１は、洋風大便器１１、便座２１と便ふた２２を回動自在に係止した便座装置本体２、尿成分測定部４と制御部５を内蔵する機構ユニットキャビネット３、および、前記洋風大便器１１の上面であるリム面１４に取り付けられる採尿装置６によって構成されている。洋風大便器１１の内側には、使用者の排泄物を受ける溜水１３を貯えるボール１２が構成されている。採尿装置６は洋風大便器１１の上部平面形状（外形シルエット）と略同じ平面形状を持ち、その上方は、便座装置本体２と便座２１が当接している。溜水１３はトラップ部１５を介して図示しない下水配管と連通している。ボール１２の底部には、トラップ部１５に吐水方向を向けているゼット吐水ノズル７が構成されている。ゼット吐水ノズル７からの吐水は、トラップ部１５において負圧を発生させ、その負圧によって生じたサイホン現象によって、溜水１３を使用者の排泄物と共に下水配管に送出するようになっている。
【００１５】
またリム面１４上方に配置された採尿装置６は、使用者の尿を採取する採尿器６１、ボール１２内部を回動させる採尿アーム６２、および、駆動動作を行う採尿ユニット６０で構成されている。採尿装置６の内部には、排泄された尿中に含まれる特定成分の定性・定量測定を実施すべく尿を尿成分測定部４に送出したり、測定後の廃液を尿成分測定部４から溜水１３に戻すための配管部材４１や、機構部を動作させるための制御配線４２が内蔵されている。本例において尿成分測定部４は機構ユニットキャビネット５に内蔵されている例で示したが、測定項目の一部は採尿器６１中で測定しても良く、尿温度のような項目は採尿器６１中で測定するのが良い。尿成分測定部４は、バイオセンサーや電気化学センサーや物理量計測センサーをはじめとする各種生化学センサーが組み込まれても良いし、他の大型臨床検査装置で測定すべく検体を採取して容器に所定量だけ備蓄するような方法であっても良い。なお採尿装置６の外郭は、排泄物や水との接触を配慮して、抗菌性のある材質を選定したり、撥水性のある処理を実施しておけば清掃性がより向上する。
【００１６】
採尿装置６は、便器や下水の詰まり等が発生した場合以外は水没しないため、特別な防水・防滴対策を施す必要がない。また、採尿装置６の外郭は、駆動動作を行う採尿ユニット６０が僅かに飛び出すが、洋風大便器１１の外形シルエットと同様の形状であるため、使用者の下肢裏側と干渉せず、採尿機能が組付けられた便器であっても用便行為自体を行う限りにおいて、一般便器との間で使い勝手面の支障が発生することがない。また配管・制御配線部材４１，４２は採尿装置６の内部に配置されているため、外観的なごてごて感が発生しない。合わせて尿成分測定部４がトイレの床面を占有していないため、清掃の度ごとに尿成分測定部４を移動させる必要もない。尿成分測定部４の存在がトイレとしてのスペースが狭めることがなく使い勝手がよいだけでなく、トイレの衛生性としても有効である。採尿装置６の厚さとしては、概ね３０ｍｍ以内程度に設計すれば便器としての着座感が低下することもない。
【００１７】
壁には遠隔操作装置５０が設けられている。使用者の局部を衛生洗浄に関する機能は衛生洗浄装置リモコン５１、および、使用者の尿成分測定に関する機能は尿成分測定部リモコン５２で各々操作される。尿成分測定結果はプリンター５３によって出力され、医療スタッフが医療行為に使用することもできる。
【００１８】
図２は、本発明の大便器ユニットの第一の実施例の断面図である。
洋風大便器１１内部の溜水１３は、トラップ部１５で水封された後、排水接続管１６を介して図示しない下水につながっている。洋風大便器１１の上面に設けられた採尿装置６の内部に配置された配管部材４１・制御配線４２は機構ユニットキャビネット３に導かれ、各々、尿成分測定装置４と制御部６につながっている。採尿装置６の上面には便座装置２と便座２１が当接している。採尿装置６の内側はボール１２と同サイズで穴を形成している。便座２１の開口から落下した使用者の排泄物は、採尿装置６の前記穴を経て溜水１３に落下する。洋風大便器１１と採尿装置６の間には、図示しないゴムパッキンなどによって排泄物飛沫の侵入を防止する。壁には遠隔操作装置５０が設けられるが、洋風大便器１１の先端位置に合わせて取付けすると操作性が良好である。なお採尿装置６の外郭の縁取りを設け、洋風大便器１１の外郭を被りこむような構成とすれば、排泄物の飛沫等の侵入防止効果は高まる。また採尿装置６の便座当接面は、中央に向けて３°程度の傾斜を設定すれば前述の撥水処理の効果も踏まえ飛沫が便器側に戻りやすく、トイレ床を汚しにくいことになる。
【００１９】
図３は、本発明の大便器ユニットの第二の実施例を示す斜視図である。第一の実施例とは、機構ユニットキャビネット３の構成が一部異なる。
機構ユニットキャビネット３は、背面キャビネットの一端に側面キャビネット３１を連結し、側面キャビネット３１には遠隔操作装置５０が内蔵されている。側面キャビネット３１は電源・信号等の配線を内蔵できるため、壁に配線の引き回しをしなくて良いため、施工が簡単に行なえたり、トイレの清掃性が向上する。また側面キャビネット３１の上面を、床面から適当な高さに設定すれば手すりを兼ねることができるため、特に高齢者がトイレを安全に使用するために有効である。
【００２０】
図４は、本発明の大便器ユニットの第二の実施例の断面図である。
洋風大便器１１の背部に設けられた機構部キャビネット３は側面キャビネット３１と一体になり、制御部５と遠隔操作装置５０間は電力・信号配線４３が引き回されている。
【００２１】
図５は、本発明の大便器ユニットの大便器と採尿装置と便座装置の固定構造を説明する斜視図である。
洋風大便器１１の上面に配置された採尿装置６は、便座装置本体２と一体の取り付けボルト２３を上方から差し込んで、洋風大便器１１の裏側にて図示しないナットによって締め付けて、一体化する。なお、洋風大便器１１の側部にはナットを組み付けるための部分を覆うカバー１７が設けられている。
【００２２】
図６は、本発明の大便器ユニットの採尿装置の第一の実施例を示す斜視図である。
採尿器６１を回動駆動する採尿ユニット６０は、カバー６３で覆われるようになっている。陶器製の便器に対して、採尿装置６は内部に機構部材を構成する必要から、一般的に外郭を樹脂製とする必要がある。樹脂は傷がついたり、変色したりすることがあるが、本構成を採用することによって、外観低下が懸念される時にはカバー６３のみを交換すればよい。この実施例においては、採尿ユニット６０およびカバー６３は、前述した取り付けボルト２３により、便座装置本体２と共締めされて、便器に固定される。
【００２３】
図７は、本発明の大便器ユニットの採尿装置の第二の実施例を示す斜視図である。
洋風大便器１１の上面には、固定部６４が、前述した便座装置本体２を固定する取り付けボルト２３にて固定される。固定部６４と回動部６５の間には、固定部６４に対して回動部６５を回動させるためのヒンジが構成されている。清掃時には回動部６５を持ち上げるように回動させて洋風大便器１１の上面を拭き掃除できるように配慮されている。図５に示す実施例において洋風大便器１１の上面にはゴムパッキンを配して汚物飛沫の侵入を防止する事例を示したが、反対に本事例のように積極的な掃除を推奨する構造としても良い。洋風大便器１１の上面の平面度が良い場合はゴムパッキンによって汚物飛沫の侵入を防止しやすいが、平面度に懸念があるときは本事例のように清掃を前提とした構造を採用するべきである。合わせてヒンジ部から回動部６５が外れるようなヒンジ構造を採用すれば、清掃性はより向上する。
【図面の簡単な説明】
【００２４】
【図１】本発明の大便器ユニットの第一の実施例を示す斜視図である。
【図２】本発明の大便器ユニットの第一の実施例の断面図である。
【図３】本発明の大便器ユニットの第二の実施例を示す斜視図である。
【図４】本発明の大便器ユニットの第二の実施例の断面図である。
【図５】本発明の大便器ユニットの大便器と採尿装置と便座装置の固定構造を説明する斜視図である。
【図６】本発明の大便器ユニットの採尿装置の第一の実施例を示す斜視図である。
【図７】本発明の大便器ユニットの採尿装置の第二の実施例を示す斜視図である。
【符号の説明】
【００２５】
１…大便器ユニット
２…便座装置本体
３…機構ユニットキャビネット（収納キャビネット）
４…尿成分測定部（測定装置）
５…制御部（測定装置）
６…採尿装置
７…ゼットノズル
１１…洋風大便器
１２…ボール
１３…溜水
１４…リム面
１５…トラップ部
１６…排水接続管
１７…カバー
２１…便座
２２…便ふた
２３…取り付けボルト
３１…側面キャビネット
４１…配管部材（尿搬送管）
４２…制御配線（通信線）
４３…電力・信号配線
５０…遠隔操作装置
５１…衛生洗浄装置リモコン
５２…尿成分測定部リモコン
５３…プリンター
６０…採尿ユニット
６１…採尿器
６２…採尿アーム
６３…カバー
６４…固定部
６５…回動部
【図５】
2005188105.tif 000003
【図６】
2005188105.tif 000004
【図７】
2005188105.tif 000005
【図１】
2005188105.tif 000006
【図２】
2005188105.tif 000007
【図３】
2005188105.tif 000008
【図４】
2005188105.tif 000009